(57)【要約】【課題】多チャンネル出力方式を有する全画素読み出し方式の固体撮像素子において、多画素化及び高フレームレート化の要求に対応するために、出力アンプのゲインレベルの調整を容易に行えるようにすると共に、画質劣化を抑制する。【解決手段】多数マトリクス状に配された受光部２と、各受光部２に対応して垂直２画素×水平２画素の配列規則で配されたカラーフィルタと、対応する受光部２の両側に夫々分離して配された、第１の垂直転送レジスタ３及び第２の垂直転送レジスタ３と、その一端に設けられた４つの水平転送レジスタ５Ａ，５Ｂ，５Ｃ，５Ｄとを含み、２つの水平転送レジスタ５Ａ，５Ｄと、他の２つの水平転送レジスタ５Ｂ，５Ｃとは、信号電荷の転送方向が互いに逆方向とされている固体撮像素子１１１を構成する。【選択図】図８
2010010724.tif 000002
【特許請求の範囲】
【請求項１】
多数マトリクス状に配され、被写体からの入射光の光量に応じた量の信号電荷に光電変換する画素としての受光部と、
前記受光部から読み出された前記信号電荷を垂直方向に転送する垂直転送レジスタと、
前記垂直転送レジスタから転送された前記信号電荷を水平方向に転送する少なくとも２つの水平転送レジスタとを有し、
各前記受光部に対応して垂直２画素×水平２画素の配列規則で配されたカラーフィルタを有し、
前記垂直転送レジスタは、対応する受光部の両側に夫々分離して配された、第１の垂直転送レジスタ及び第２の垂直転送レジスタから形成され、
前記第１の垂直転送レジスタ及び前記第２の垂直転送レジスタの一端に、それぞれ前記配列規則の４画素に対応する４つの受光部から読み出された信号電荷をそれぞれ独立して転送する４つの水平転送レジスタが設けられており、
前記４つの水平転送レジスタのうち、２つの水平転送レジスタと、他の２つの水平転送レジスタとは、信号電荷の転送方向が互いに逆方向とされている
固体撮像素子。
【請求項２】
前記４画素のうち、同一行の２つの画素の前記信号電荷はそれぞれ転送方向が逆方向の２つの前記水平転送レジスタに転送され、前記４画素のうち、同一列の２つの画素の前記信号電荷は、それぞれ転送方向が逆方向の２つの前記水平転送レジスタに転送される、請求項１に記載の固体撮像素子。
【請求項３】
前記４画素のうち、同一行の２つの画素の前記信号電荷はそれぞれ転送方向が逆方向の２つの前記水平転送レジスタに転送され、前記４画素のうち、同一列の２つの画素の前記信号電荷はそれぞれ転送方向が同じ方向の２つの前記水平転送レジスタに転送される、請求項１に記載の固体撮像素子。
【請求項４】
多数マトリクス状に配され、被写体からの入射光の光量に応じた量の信号電荷に光電変換する画素としての受光部と、
前記受光部から読み出された前記信号電荷を垂直方向に転送する垂直転送レジスタと、
前記垂直転送レジスタから転送された前記信号電荷を水平方向に転送する少なくとも２つの水平転送レジスタとを有し、
各前記受光部に対応して垂直２画素×水平２画素の配列規則で配されたカラーフィルタを有し、
前記垂直転送レジスタは、対応する受光部の両側に夫々分離して配された、第１の垂直転送レジスタ及び第２の垂直転送レジスタから形成され、
前記第１の垂直転送レジスタ及び前記第２の垂直転送レジスタの一端に、それぞれ前記配列規則の４画素のうち１つの行に対応する２画素の２つの受光部から読み出された信号電荷をそれぞれ独立して転送する２つの水平転送レジスタが設けられており、
前記第１の垂直転送レジスタ及び前記第２の垂直転送レジスタの他端に、それぞれ前記配列規則の４画素のうち他の行に対応する２画素の２つの受光部から読み出された信号電荷をそれぞれ独立して転送する２つの水平転送レジスタが設けられており、
前記１つの行に対応する２画素の２つの受光部から読み出された信号電荷が転送される、前記第１の垂直転送レジスタ及び前記第２の垂直転送レジスタと、前記他の行に対応する２画素の２つの受光部から読み出された信号電荷が転送される、前記第１の垂直転送レジスタ及び前記第２の垂直転送レジスタとは、信号電荷の転送方向が互いに逆方向とされている
固体撮像素子。
【請求項５】
前記第１の垂直転送レジスタ及び前記第２の垂直転送レジスタの一端に設けられた前記２つの水平転送レジスタと、前記第１の垂直転送レジスタ及び前記第２の垂直転送レジスタの他端に設けられた前記２つの水平転送レジスタとは、転送方向が同じであり、前記４画素のうち同一列の２画素の前記信号電荷はそれぞれ転送方向が逆方向の２つの前記垂直転送レジスタに転送される、請求項４に記載の固体撮像素子。
【請求項６】
前記第１の垂直転送レジスタ及び前記第２の垂直転送レジスタの一端に設けられた前記２つの水平転送レジスタと、前記第１の垂直転送レジスタ及び前記第２の垂直転送レジスタの他端に設けられた前記２つの水平転送レジスタとは、それぞれ１つずつ転送方向が逆方向であり、前記４画素のうち同一列の２画素はそれぞれ転送方向が逆方向の２つの前記垂直転送レジスタに転送される、請求項４に記載の固体撮像素子。
【発明の詳細な説明】
【技術分野】
【０００１】
本発明は、固体撮像素子、特に多チャンネル出力方式を有する全画素読み出し方式のイメージセンサに適用して好適な固体撮像素子に関する。
【背景技術】
【０００２】
図１８は、従来の例えばインターライン転送方式のＣＣＤイメージセンサの構成を示す。
このＣＣＤイメージセンサ５０は、画素となる複数の受光部５１がマトリクス状に配列され、各受光部５１列の一側に垂直転送レジスタ５２が形成されたイメージ部５３を有し、各垂直転送レジスタ５２の終端が水平転送レジスタ５４に接続され、さらに水平転送レジスタ５４の終端にフローティングディフュージョン領域又はフローティングゲート等による電荷電圧変換手段（図示せず）を介して出力部５５が接続されてなる。
【０００３】
また、図１９に示すように、水平転送レジスタ５４を２本並列に設け（第１及び第２の水平転送レジスタ５４１及び５４２）、更に、これら第１及び第２の水平転送レジスタ５４１及び５４２の後段に出力部（第１の出力部５５１及び第２の出力部５５２）をそれぞれ接続することで、撮像信号の出力形式を２系統とした所謂多チャンネル出力形式のＣＣＤイメージセンサ６０も知られている。
尚、その他の部分は図１８の構成と同様であるので、対応する部分には同一符号を付して重複説明を省略している。
【０００４】
このようなＣＣＤイメージセンサ５０（ＣＣＤイメージセンサ６０）では、例えばイメージ部５３への４相の垂直転送パルスΦＶ１〜ΦＶ４の供給によって、イメージ部５３における各垂直転送電極（図示せず）下のポテンシャル分布が順次変化し、これによって、各受光部５１で蓄積された信号電荷がイメージ部５３の各垂直転送レジスタ５２に沿って垂直方向に水平転送レジスタ５４（２本の水平転送レジスタ５４１及び５４２）へと転送されることとなる。
【０００５】
そして、例えば水平転送レジスタ５４へと転送された信号電荷は、水平転送レジスタ５４上に形成された例えば２層の多結晶シリコン層による水平転送電極（図示せず）への互いに位相の異なる２相の水平転送パルスΦＨ１及びΦＨ２の印加によって水平転送レジスタ５４内を順次出力部５５へと転送され、出力部５５において電気信号に変換されて撮像信号として取り出されることとなる。
【０００６】
また、例えば２本の水平転送レジスタ５４１及び５４２へと転送された信号電荷は、それぞれの水平転送レジスタ５４１及び５４２上に形成された例えば２層の多結晶シリコン層による水平転送電極（図示せず）への互いに位相の異なる２相の水平転送パルスΦＨ１及びΦＨ２の印加によって、それぞれの水平転送レジスタ５４１及び５４２内を順次出力部５５１及び５５２に転送され、出力部５５１及び５５２において電気信号に変換されて２つの撮像信号として取り出されることとなる。
【０００７】
ところで、近年、固体撮像素子においては、多画素化及び高フレームレート化の要求が強くなってきている。また、全画素読み出し方式に対応できることも要求されてきている。
しかしながら、図１８に示したような出力形式を１系統とした所謂単チャンネル出力方式の固体撮像素子においてこれらの要求に対応しようとすると、駆動周波数の増大、水平転送効率の劣化、消費電力の増大等の問題が生じてしまう。
従って、単チャンネル出力方式の固体撮像素子で上述した要求に対応することは非常に困難である。
【０００８】
一方、図１９に示した出力形式を２系統とした所謂多チャンネル出力方式の固体撮像素子において、前述した多画素化及び高フレームレート化、並びに全画素読み出し方式の要求に対応しようとした場合には、単チャネル出力方式の場合に生じていた、駆動周波数の増大及び水平転送効率の劣化、並びに消費電力の増大等の問題は解決できる。
しかしながら、２本の水平転送レジスタ５４１及び５４２の各出力部５５１及び５５２で出力アンプゲインレベルがそろっていないと、画面上に縦筋等の線状欠陥が発生し画素劣化の問題が生じてしまう。
従って、非常に精度が高く且つ高速な出力アンプゲインレベルの調整処理が必要となってしまう。
【０００９】
また、図２０に示すように、イメージ部５３を２つに分け（５３１，５３２）各イメージ部５３１，５３２の一端に、出力部５５１，５５２が設けられた２つの水平転送レジスタ５４１，５４２が設けられた、水平方向に画角を２分割し撮像信号の出力形式を２系統とした多チャンネル出力形式の固体撮像素子７０の場合は、２本の水平転送レジスタ５４１及び５４２の各出力部５５１及び５５２で出力アンプゲインレベルがそろっていないと、画面中央に縦筋が見える等の画質劣化が起こってしまう。
【００１０】
また、図示せざるも、例えば水平方向又は垂直方向の偶数ラインと奇数ラインとで出力を分割する方式の固体撮像素子の場合は、出力アンプゲインレベルがそろわなければ、画面上に横筋・縦筋が発生するため、前述と同様にして非常に精度が高く且つ高速な出力アンプゲインレベル調整処理が必要となってしまう。
【００１１】
これに対し、上述した多チャンネル出力方式の固体撮像素子において、全画素読み出し方式の要求に対応した構成が開示されている（特許文献１参照）。図２１はこのような固体撮像素子をＣＣＤイメージセンサに適用した場合の構成を示す。尚、図１８〜図２０と対応する部分には同一符号を付している。このＣＣＤイメージセンサ８０は、上述したＣＣＤイメージセンサ５０及び６０と同様に、画素となる複数の受光部５１がマトリクス状に配列され、各受光部５１列の一側に垂直転送レジスタ５２が形成されたイメージ部５３を有し、各垂直転送レジスタ５２の終端が水平転送レジスタ５４１及び５４２に接続され、さらに水平転送レジスタ５４１及び５４２の終端にフローティングディフュージョン領域又はフローティングゲート等による電荷電圧変換手段（図示せず）を介して出力部５５１及び５５２が接続されてなる。
【００１２】
そして、このようなＣＣＤイメージセンサ８０では、垂直転送レジスタ５２を第１及び第２の垂直転送レジスタ５２Ａ及び５２Ｂから形成し、例えば奇数行に関する受光部５１Ａで蓄積された信号電荷ｅＡを第１の垂直転送レジスタ５２Ａに、偶数行に関する受光部５１Ｂで蓄積された信号電荷ｅＢを第２の垂直転送レジスタ５２Ｂにそれぞれ独立に読み出すようにして、この独立して読み出されたそれぞれの信号電荷ｅＡ及びｅＢを、第１の垂直転送レジスタ５２Ａの一端に設けられた水平転送レジスタ５４２及び第２の垂直転送レジスタ５２Ｂの一端に設けられた水平転送レジスタ５４１へと転送する。
【００１３】
そして、水平転送レジスタ５４２及び５４１に転送されたそれぞれの信号電荷ｅＡ及びｅＢは、この水平転送レジスタ５４２及び５４１内をそれぞれ独立して転送され、水平転送レジスタ５４２及び５４１の後段に設けられてなる出力部５１及び５５２において電気信号に変換されて、奇数行及び偶数行の２つの撮像信号として取り出されることとなる。
【先行技術文献】
【特許文献】
【００１４】
【特許文献１】特開平９−１２９８６１号公報
【発明の概要】
【発明が解決しようとする課題】
【００１５】
しかしながら、このような構成の固体撮像素子においても、出力部５５１及び５５２間での出力アンプゲインレベルの調整がそろわない場合は、上述と同様に線状欠陥等の画素劣化が生じて高精度の出力アンプゲインレベルの調整が必要となってしまう。
【００１６】
本発明は、上述の点に鑑み、多チャンネル出力方式を有する全画素読み出し方式の固体撮像素子において、画質劣化を抑制して、多画素化及び高フレームレート化等の要求に対応できるようにするものである。
【課題を解決するための手段】
【００１７】
本発明の固体撮像素子は、多数マトリクス状に配され、被写体からの入射光の光量に応じた量の信号電荷に光電変換する画素としての受光部と、受光部から読み出された信号電荷を垂直方向に転送する垂直転送レジスタと、この垂直転送レジスタから転送された信号電荷を水平方向に転送する少なくとも２つの水平転送レジスタとを有し、各受光部に対応して垂直２画素×水平２画素の配列規則で配されたカラーフィルタを有し、垂直転送レジスタは、対応する受光部の両側に夫々分離して配された、第１の垂直転送レジスタ及び第２の垂直転送レジスタから形成され、第１の垂直転送レジスタ及び第２の垂直転送レジスタの一端に、それぞれ配列規則の４画素に対応する４つの受光部から読み出された信号電荷をそれぞれ独立して転送する４つの水平転送レジスタが設けられており、４つの水平転送レジスタのうち、２つの水平転送レジスタと、他の２つの水平転送レジスタとは、信号電荷の転送方向が互いに逆方向とされているものである。
【００１８】
本発明の固体撮像素子によれば、多数マトリクス状に配され、被写体からの入射光の光量に応じた量の信号電荷に光電変換する画素としての受光部と、受光部から読み出された信号電荷を垂直方向に転送する垂直転送レジスタと、この垂直転送レジスタから転送された信号電荷を水平方向に転送する少なくとも２つの水平転送レジスタとを有し、各受光部に対応して垂直２画素×水平２画素の配列規則で配されたカラーフィルタを有し、垂直転送レジスタは、対応する受光部の両側に夫々分離して配された、第１の垂直転送レジスタ及び第２の垂直転送レジスタから形成されているので、垂直２画素×水平２画素の配列規則のカラーフィルタに対応する４画素の各受光部にそれぞれ垂直転送レジスタが設けられることとなり、４つの受光部で蓄積された各色に対する信号電荷を、各受光部の両側に配された第１及び第２の垂直転送レジスタにそれぞれ独立して読み出して、各垂直転送レジスタ内をそれぞれ独立して垂直転送させることが可能となる。
また、４つの水平転送レジスタのうち、２つの水平転送レジスタと、他の２つの水平転送レジスタとは、信号電荷の転送方向が互いに逆方向とされているので、水平転送レジスタの先に設けられる出力部等が一方の側に集中することを防いで、発熱を抑制することができる。
【００１９】
また、本発明の固体撮像素子は、多数マトリクス状に配され、被写体からの入射光の光量に応じた量の信号電荷に光電変換する画素としての受光部と、受光部から読み出された信号電荷を垂直方向に転送する垂直転送レジスタと、この垂直転送レジスタから転送された信号電荷を水平方向に転送する少なくとも２つの水平転送レジスタとを有し、各受光部に対応して垂直２画素×水平２画素の配列規則で配されたカラーフィルタを有し、垂直転送レジスタは、対応する受光部の両側に夫々分離して配された、第１の垂直転送レジスタ及び第２の垂直転送レジスタから形成され、第１の垂直転送レジスタ及び第２の垂直転送レジスタの一端に、それぞれ配列規則の４画素のうち１つの行に対応する２画素の２つの受光部から読み出された信号電荷をそれぞれ独立して転送する２つの水平転送レジスタが設けられており、第１の垂直転送レジスタ及び第２の垂直転送レジスタの他端に、それぞれ配列規則の４画素のうち他の行に対応する２画素の２つの受光部から読み出された信号電荷をそれぞれ独立して転送する２つの水平転送レジスタが設けられており、１つの行に対応する２画素の２つの受光部から読み出された信号電荷が転送される、第１の垂直転送レジスタ及び第２の垂直転送レジスタと、他の行に対応する２画素の２つの受光部から読み出された信号電荷が転送される、第１の垂直転送レジスタ及び第２の垂直転送レジスタとは、信号電荷の転送方向が互いに逆方向とされているものである。
【００２０】
本発明の固体撮像素子によれば、前述した固体撮像素子の場合と同様に、多数マトリクス状に配され、被写体からの入射光の光量に応じた量の信号電荷に光電変換する画素としての受光部と、受光部から読み出された信号電荷を垂直方向に転送する垂直転送レジスタと、この垂直転送レジスタから転送された信号電荷を水平方向に転送する少なくとも２つの水平転送レジスタとを有し、各受光部に対応して垂直２画素×水平２画素の配列規則で配されたカラーフィルタを有し、垂直転送レジスタは、対応する受光部の両側に夫々分離して配された、第１の垂直転送レジスタ及び第２の垂直転送レジスタから形成されているので、垂直２画素×水平２画素の配列規則のカラーフィルタに対応する４画素の各４つの受光部にそれぞれ垂直転送レジスタが設けられることとなり、４つの受光部で蓄積された各色に対する信号電荷を、各受光部の両側に配された第１及び第２の垂直転送レジスタにそれぞれ独立して読み出して、各垂直転送レジスタ内をそれぞれ独立して垂直転送させることが可能となる。
【発明の効果】
【００２１】
本発明に係る固体撮像素子によれば、垂直２画素×水平２画素の配列規則のカラーフィルタの４色に対応する４つの受光部で蓄積された各信号電荷をそれぞれ色分離して独立して出力できる。
【００２２】
これにより、線状欠陥等の画素劣化を抑制することができ、非常に精度が高く且つ高速な出力アンプゲインレベルの調整処理を不要とすることができる。
また、各出力部間で出力アンプゲインレベルのずれが生じたとしても線状欠陥にはならず点となるので目立ちにくくすることができる。
また、各色に対応する信号電荷の信号処理の際に出力アンプゲインレベルの差の分も調整が可能となる。このように各色毎の出力アンプゲインレベルの調整が後段で任意に調整できるので分光特性を任意に調整することが可能となる。
従って、従来と比較して、出力アンプゲインレベルの調整を容易に行うことができる固体撮像素子を提供することができる。
【００２３】
また、１度の水平転送時に４色に対応する４つの受光部で蓄積された各信号電荷をそれぞれ色分離して独立して出力できることから、例えば、従来の全画素読み出し方式の固体撮像素子に比べてフレームレートを上げることができる。
【００２４】
従って、本発明では、多チャンネル出力方式を有する全画素読み出し方式の固体撮像素子において、出力アンプゲインレベルの調整を容易に行えるようにすることができ、更には多画素化及び高フレームレート化等の要求にも対応できる固体撮像素子を提供することができる。
【図面の簡単な説明】
【００２５】
【図１】本発明に係る固体撮像素子を２層４相ＣＣＤ構造のイメージセンサに適用した場合の一実施の形態を示す概略構成図である。
【図２】図１のイメージ部上に設けられてなるカラーフィルタの一例を示す図である。
【図３】図１のイメージ部の構成を示す概略平面図である。
【図４】Ａ、Ｂ  読み出し動作を示すタイミングチャート図である
【図５】Ａ、Ｂ  読み出し動作を示す動作概念図である。
【図６】垂直転送動作を示す動作概念図（その１）である。
【図７】垂直転送動作を示す動作概念図（その２）である。
【図８】図１の変形例を示す概略構成図（その１）である。
【図９】隣接する水平転送レジスタ間での電極の構成を示す図である。
【図１０】図１の変形例を示す概略構成図（その２）である。
【図１１】本発明に係る固体撮像素子を２層４相ＣＣＤ構造のイメージセンサに適用した場合の他の実施の形態を示す概略構成図である。
【図１２】図１１のイメージ部を示す概略平面図である。
【図１３】Ａ、Ｂ  読み出し動作を示すタイミングチャート図である。
【図１４】Ａ、Ｂ  読み出し動作を示す動作概念図である。
【図１５】垂直転送動作を示す概念図（その１）である。
【図１６】垂直転送動作を示す概念図（その２）である。
【図１７】図１１の変形例を示す概略構成図である。
【図１８】従来のＣＣＤイメージセンサの一例を示す概略構成図（その１）である。
【図１９】従来のＣＣＤイメージセンサの一例を示す概略構成図（その２）である。
【図２０】従来のＣＣＤイメージセンサの一例を示す概略構成図（その３）である。
【図２１】多チャンネル出力方式を有する全画素読み出し方式の固体撮像素子の一例を示す概略構成図である。
【発明を実施するための形態】
【００２６】
以下、図面を参照して、本発明の実施の形態を説明する。
先ず、本発明に係る固体撮像素子を２層４相ＣＣＤ構造のイメージセンサに適用した場合の一実施の形態を示す。
本実施の形態に係るＣＣＤイメージセンサ１１１は、図１に示すように、画素となる複数の受光部２が多数マトリクス状に配列されてなるイメージ部４上に、後述する各受光部２に対応して垂直２画素×水平２画素の配列規則で配されたカラーフィルタ（図示せず）を有し、イメージ部４では、各列の受光部２に対して共通に垂直転送レジスタ３が形成されてなる。
【００２７】
イメージ部４上に形成されてなる垂直２画素×水平２画素の配列規則を有するカラーフィルタは、図２に示すように、例えば、奇数行については水平方向に沿って順にＲ、Ｇｒという配列を１ブロックとしてこのブロックが水平方向に多数配列され、偶数行については水平方向に沿って順にＧｂ、Ｂという配列を１ブロックとしてこのブロックが水平方向に多数配列された所謂ベイヤー配列のカラーフィルタ７を用いる。
このカラーフィルタ７は１つの受光部２に対して１つの色が割り当てられるように形成されているので、図１に示す垂直２画素×水平２画素の受光部２Ａ，２Ｂ，２Ｃ，２Ｄに対してカラーフィルタ７の４つの色Ｒ，Ｇｒ，Ｇｂ，Ｂがそれぞれ対応し、例えばＲが受光部２Ａに、Ｇｒが受光部２Ｂに、Ｇｂが受光部２Ｃに、Ｂが受光部２Ｄにそれぞれ対応している。
尚、図示の例では、各色Ｒ，Ｇｒ，Ｇｂ，Ｂに対応する４つの受光部２Ａ，２Ｂ，２Ｃ，２Ｄのうち、上側の２つの受光部２Ａ及び２Ｂを奇数行とし下側の受光部２Ｃ及び２Ｄを偶数行とする。
【００２８】
イメージ部４は、図３に示すように、信号電荷の転送路である例えばｎ型の不純物拡散による転送チャネル領域（垂直転送レジスタ）３が垂直方向に多数本形成されている（尚、説明をし易くするため、図示の例では転送チャネル領域を１列おきに３、３３・・・と示している）。これら各転送チャネル領域３は、その中央部分に垂直方向に延びる例えばｐ型の不純物拡散による第１のチャネルストップ領域８が形成されて左右に分離された形となっている。
従って、以下の説明では、左右に分離された転送チャネル領域のうち、左側の転送チャネル領域を第１の転送チャネル領域（第１の垂直転送レジスタ）３１と示し、右側の転送チャネル領域を第２の転送チャネル領域（第２の垂直転送レジスタ）３２と示す。総括して示す場合は単に転送チャネル領域３と示す。
【００２９】
このイメージ部４では、奇数行に関する受光部２Ａ及び２Ｂのうち、受光部２Ａと図面上左側に隣接する転送チャネル領域３３の第２の転送チャネル領域３２との間に第２のチャネルストップ領域９が形成され、受光部２Ｂと図面上右側に隣接する転送チャネル領域３３の第１の転送チャネル領域３１との間に第２のチャネルストップ領域９が形成されている。
また、偶数行に関する受光部２Ｃ及び２Ｄのうち、受光部２Ｃと図面上右側に隣接する転送チャネル領域３の第１の転送チャネル領域３１との間に第２のチャネルストップ領域９が形成され、受光部２Ｄと図面上左側に隣接する転送チャネル領域３の第２の転送チャネル領域３２との間に第２のチャネルストップ領域９が形成されている。
そして、この第２のチャネルストップ領域９は、垂直方向に隣接する各受光部間（図３では受光部２Ａ及び２Ｃ間、受光部２Ｂ及び２Ｄ間）においても連続して形成されている。
【００３０】
また、奇数行に関する受光部２Ａ及び２Ｂのうち、受光部２Ａと転送チャネル領域３の第１の転送チャネル領域３１との間の領域、受光部２Ｂと転送チャネル領域３の第２の転送チャネル領域３２との間の領域に読み出しゲート部１０Ａ及び１０Ｂが形成され、偶数行に関する受光部２Ｃ及び２Ｄのうち、受光部２Ｃと転送チャネル領域３３の第２の転送チャネル領域３２との間の領域、受光部２Ｄと転送チャネル領域３３の第１の転送チャネル領域３１との間の領域に読み出しゲート部１０Ｃ及び１０Ｄが形成されている。
【００３１】
これにより、奇数行に関する受光部２Ａ及び２Ｂにおいて、各読み出しゲート部１０Ａ及び１０Ｂが向かい合わせに形成されている。また、偶数行に関する受光部２Ｃ及び２Ｄにおいては、各読み出しゲート部１０Ｃ及び１０Ｄが、それぞれ図示しない隣り合う受光部と向かい合わせに形成されている。
【００３２】
従って、左右隣り合う受光部２において、読み出しゲート部１０が向かい合わせに形成され、且つ、上下隣り合う受光部（図３の例では受光部２Ａ及び２Ｃ、受光部２Ｂ及び２Ｄ）において、読み出しゲート部の向きが反転して形成された構成となっている。
これにより、左右隣り合う受光部２に蓄積された信号電荷を同一の垂直転送レジスタ３に読み出すことが可能となる。
【００３３】
このように構成されていることにより、カラーフィルタ７の各色Ｒ，Ｇｒ，Ｇｂ，Ｂに対応する各受光部２Ａ，２Ｂ，２Ｃ，２Ｄにて蓄積された信号電荷ｅＡ，ｅＢ，ｅＣ，ｅＤを、各読み出しゲート部１０Ａ，１０Ｂ，１０Ｃ，１０Ｄを通じてそれぞれ独立に色分離して読み出すことが可能となる。
【００３４】
各転送チャネル領域３上、つまり、第１及び第２の転送チャネル領域３１及び３２に対しては共通に例えば２層の多結晶シリコン層による４枚の垂直転送電極（第１〜第４の垂直転送電極１５ａ〜１５ｄ）を１組としてその組が多数垂直方向に順次配列されている。特に、図示の例では、例えば、偶数行に関する受光部２Ｃ及び２Ｄに隣接して第１及び第２の垂直転送電極１５ａ及び１５ｂが配列され、奇数行に関する受光部２Ａ及び２Ｂに隣接して第３及び第４の垂直転送電極１５ｃ及び１５ｄが配列されている。
【００３５】
そして、本実施の形態においては、特に、垂直転送レジスタ３の一端（図中のイメージ部４の下側）に、垂直２画素×水平２画素の配列規則の４画素に対応する４つの受光部２Ａ，２Ｂ，２Ｃ，２Ｄで蓄積された信号電荷ｅＡ，ｅＢ，ｅＣ，ｅＤをそれぞれ独立して転送する４つの水平転送レジスタ５Ａ，５Ｂ，５Ｃ，５Ｄを設け、さらに、各水平転送レジスタ５Ａ，５Ｂ，５Ｃ，５Ｄの後段には、フローティングディフュージョン領域又はフローティングゲート等による電荷電圧変換手段（図示せず）を介して、信号電荷ｅＡ，ｅＢ，ｅＣ，ｅＤを出力する出力部６Ａ，６Ｂ，６Ｃ，６Ｄをそれぞれ設ける。
【００３６】
各水平転送レジスタ間（水平転送レジスタ５Ｃと水平転送レジスタ５Ａ間、水平転送レジスタ５Ａと水平転送レジスタ５Ｂ間、水平転送レジスタ５Ｂと水平転送レジスタ５Ｃ間）には、水平転送レジスタ間転送ゲート１１がそれぞれ設けられている。
【００３７】
各垂直転送レジスタ（転送チャネル領域）３と各水平転送レジスタ５の対応関係は、例えば、受光部２Ａからの信号電荷ｅＡが読み出される転送チャネル領域３の第１の転送チャネル領域３１と通じて水平転送レジスタ５Ａが設けられ、受光部２Ｂからの信号電荷ｅＢが読み出される転送チャネル領域３の第２の転送チャネル領域３２と通じて水平転送レジスタ５Ｂが設けられる。また、受光部２Ｃからの信号電荷ｅＣが読み出される転送チャネル領域３３の第２の転送チャネル領域３２と通じて水平転送レジスタ５Ｃが設けられ、受光部２Ｄからの信号電荷ｅＤが読み出される転送チャネル領域３３の第１の転送チャネル領域を通じて水平転送レジスタ５Ｄが設けられる。
【００３８】
次に、このような本実施の形態に係るＣＣＤイメージセンサの実際の動作を図４〜図７を用いて説明する。
先ず、各受光部から各信号電荷を読み出す電荷読み出し動作を図４Ａのタイミングチャート及び図５の動作概念図を参照しながら説明する。尚、図５Ａは偶数行に関する受光部２Ｃ（２Ｄ）の電荷読み出し動作を、図５Ｂは奇数行に関する受光部２Ａ（２Ｂ）の電荷読み出し動作を示している。
先ず、図４Ａにおける読み出し直前のｔ０時において、第１の垂直転送電極１５ａに印加される第１の垂直転送パルスφＶ１及び第３の垂直転送電極１５ｃに印加される第３の垂直転送パルスφＶ３がそれぞれ高レベル（例えば０Ｖ）、第２の垂直転送電極１５ｂに印加される第２の垂直転送パルスφＶ２及び第４の垂直転送電極１５ｄに印加される第４の垂直転送パルスφＶ４がそれぞれ低レベル（例えば−９Ｖ）であることから、各転送チャネル領域３の第１及び第２の転送チャネル領域３１及び３２のうち、第１及び第３の垂直転送電極１５ａ及び１５ｃ下の領域にそれぞれポテンシャル井戸が形成される。
このとき、第１及び第３の垂直転送電極１５ａ及び１５ｃ下のポテンシャル段差は、受光部２Ａ，２Ｂ，２Ｃ，２Ｄのポテンシャル段差よりも浅い位置にあるため、受光部２Ａ，２Ｂ，２Ｃ，２Ｄからの信号電荷ｅＡ，ｅＢ，ｅＣ，ｅＤの流れ込みは行われない。
【００３９】
次のｔ１時において、第１の垂直転送パルスφＶ１が読み出しレベル（例えば１５Ｖ）となるため、第１の垂直転送電極１５ａ下のポテンシャル井戸が受光部２Ｃ及び２Ｄのポテンシャル段差よりも深くなる。これによって、偶数行に関する受光部２Ｃ及び２Ｄに蓄積されたＧｂ及びＢに対応する信号電荷ｅＣ及びｅＤが第１の垂直転送電極１５ａ下、特にこの場合、信号電荷ｅＣは転送チャネル領域３３の第２の転送チャネル領域３２における第１の垂直転送電極１５ａ下に、信号電荷ｅＤは転送チャネル領域３３の第１の転送チャネル領域３１における第１の垂直転送電極１５ａ下に転送・蓄積されることとなる。
尚、このとき、奇数行に関する受光部２Ａ及び２Ｂに蓄積されている信号電荷ｅＡ及びｅＢは、第２のチャネルストッパ領域によって第３の垂直転送電極１５ｃ下への転送が阻止される。
【００４０】
次に、ｔ２時において、第１の垂直転送パルスφＶ１が元の高レベル（０Ｖ）に復帰するため、転送チャネル領域３３の第２の転送チャネル領域３２における第１の垂直転送電極１５ａ下に転送された信号電荷ｅＣ及び転送チャネル領域３３の第１の転送チャネル領域３１における第１の垂直転送電極１５ａ下に転送された信号電荷ｅＤは、依然第１の垂直転送電極１５ａ下に留まることとなる。
【００４１】
そして、次のｔ３時において、第３の垂直転送パルスφＶ３が読み出しレベル（１５Ｖ）となるため、今度は、第３の垂直転送電極１５ｃ下のポテンシャル井戸が受光部２Ａ及び２Ｂのポテンシャル段差よりも深くなり、これによって、奇数行に関する受光部２Ａ及び２Ｂに蓄積されていたＲ及びＧｒに対応する信号電荷ｅＡ及びｅＢが第３の垂直転送電極１５ｃ下、特にこの場合、信号電荷ｅＡは転送チャネル領域３の第１の転送チャネル領域３１における第３の垂直転送電極１５ｃ下に転送・蓄積され、信号電荷ｅＢは転送チャネル領域３の第２の転送チャネル領域３２における第３の垂直転送電極１５ｃ下に転送・蓄積されることとなる。
このとき、偶数行の受光部２Ｃ及び２Ｄからの信号電荷ｅＣ及びｅＤは、依然転送チャネル領域３３の第２の転送チャネル領域３２及び転送チャネル領域３３の第１の転送チャネル領域３１における第１の垂直転送電極１５ａ下に留まることになる。
【００４２】
次に、ｔ４時において、第３の垂直転送パルスφＶ３が元の高レベル（０Ｖ）に復帰するため、偶数行の信号電荷ｅＣ及びｅＤは、依然転送チャネル領域３３の第２の転送チャネル領域３２及び転送チャネル領域３３の第１の転送チャネル領域３１の第３の垂直転送電極１５ｃ下に留まることとなる。このとき、奇数行の信号電荷ｅＡ及びｅＢも、依然転送チャネル領域３の第１及び第２の転送チャネル領域３１及び３２の第１の垂直転送電極１５ａ下に留まることになる。
【００４３】
次に、ｔ５時において、第２の垂直転送パルスφＶ２が高レベル（０Ｖ）になることから、第１の垂直転送電極１５ａ下から第３の垂直転送電極１５ｃ下にかけて１つの連続したポテンシャル井戸が形成され、これにより、信号電荷ｅＣ及びｅＤは、転送チャネル領域３３の第２の転送チャネル領域３２及び転送チャネル領域３３の第１の転送チャネル領域３１における第１〜第３の垂直転送電極（１５ａ〜１５ｃ）下に連続形成されたポテンシャル井戸に転送・蓄積され、信号電荷ｅＡ及びｅＢは、転送チャネル領域３の第１の転送チャネル領域３１及び第２の転送チャネル領域３２における第１〜第３の垂直転送電極（１５ａ〜１５ｃ）下に連続形成されたポテンシャル井戸に転送・蓄積される。
【００４４】
次に、ｔ６時において、第３の垂直転送パルスφＶ３が低レベル（−９Ｖ）になることから、第３の垂直転送電極１５ｃ下にポテンシャル障壁が形成され、信号電荷ｅＣ及びｅＤのうち、信号電荷ｅＣは、転送チャネル領域３３の第２の転送チャネル領域３２における第１及び第２の垂直転送電極１５ａ及び１５ｂ下に連続形成されたポテンシャル井戸に転送・蓄積され、信号電荷ｅＤは、転送チャネル領域３３の第１の転送チャネル領域３１における第１及び第２の垂直転送電極１５ａ及び１５ｂ下に形成されたポテンシャル井戸に転送・蓄積される。
また、信号電荷ｅＡ及びｅＢのうち、信号電荷ｅＡは転送チャネル領域３の第１の転送チャネル領域３１における第１及び第２の垂直転送電極１５ａ及び１５ｂ下に連続形成されたポテンシャル井戸に転送・蓄積され、信号電荷ｅＢは、転送チャネル領域３の第２の転送チャネル領域３２における第１及び第２の垂直転送電極１５ａ及び１５ｂ下に形成されたポテンシャル井戸に転送・蓄積される。
【００４５】
従って、奇数行に関する受光部２Ａ及び２Ｂのうち、受光部２Ａに蓄積されたＲに対応した信号電荷ｅＡは読み出しゲート部１０Ａを通じて転送チャネル領域３の第１の転送チャネル領域３１に読み出され、受光部２Ｂに蓄積されたＧｒに対応する信号電荷ｅＢは読み出しゲート部１０Ｂを通じて転送チャネル領域３の第２の転送チャネル領域３２に読み出されることとなる。
また、偶数行に関する受光部２Ｃ及び２Ｄのうち、受光部２Ｃに蓄積されたＧｂに対応する信号電荷ｅＣは読み出しゲート部１０Ｃを通じて転送チャネル領域３３の第２の転送チャネル領域３２に読み出され、受光部２Ｄに蓄積されたＢに対応する信号電荷ｅＤは読み出しゲート部１０Ｄを通じて転送チャネル領域３３の第１の転送チャネル領域３１に読み出されることとなる。
即ち、本実施の形態に係るＣＣＤイメージセンサ１においては、各受光部２２Ａ，２Ｂ，２Ｃ，２Ｄから読み出される各色Ｒ，Ｇｒ，Ｇｂ，Ｂに対応する信号電荷ｅＡ，ｅＢ，ｅＣ，ｅＤを、それぞれ独立に色分離して各転送チャネル領域３（第１及び第２の転送チャネル領域３１及び３２）に読み出すことができる。
【００４６】
次に上記実施の形態に係るイメージセンサにおける垂直方向の転送動作（垂直転送レジスタに沿った転送動作）について、図４Ｂのタイミングチャート並びに図６及び図７の動作概念図を参照しながら説明する。
尚、図６は偶数行に関する受光部２Ｃ（２Ｄ）で蓄積された信号電荷ｅＣ及びｅＤの垂直転送動作を示し、図７は奇数行に関する受光部２Ａ（２Ｂ）で蓄積された信号電荷ｅＡ及びｅＢの垂直転送動作を示す。
先ず、図５で示す電荷読み出し動作の終了後において、偶数行の信号電荷ｅＣ及びｅＤのうち、信号電荷ｅＣが転送チャネル領域３３の第２の転送チャネル領域３２における第１及び第２の垂直転送電極１５ａ及び１５ｂ下に転送・蓄積され、信号電荷ｅＤが転送チャネル領域３３の第１の転送チャネル領域３１における第１及び第２の垂直転送電極１５ａ及び１５ｂ下に転送・蓄積され、また、奇数行の信号電荷ｅＡ及びｅＢのうち、信号電荷ｅＡが転送チャネル領域３の第１の転送チャネル領域３１における第１及び第２の垂直転送電極１５ａ及び１５ｂ下に連続形成されたポテンシャル井戸に転送蓄積され、信号電荷ｅＢが転送チャネル領域３の第２の転送チャネル領域３２における第１及び第２の垂直転送電極１５ａ及び１５ｂ下に連続形成されたポテンシャル井戸に転送・蓄積された状態（ｔ１１時）から説明する。
【００４７】
次のｔ１２時において、第４の垂直転送パルスφＶ４が高レベルになることから、第４の垂直転送電極１５ｄ下にポテンシャル井戸が形成され、これにより、信号電荷ｅＣ及びｅＤは、転送チャネル領域３３の第２の転送チャネル領域３２及び転送チャネル領域３３の第１の転送チャネル領域３１における第１、第２及び第４の垂直転送電極１５ａ，１５ｂ，１５ｄ下に連続形成されたポテンシャル井戸に転送・蓄積され、信号電荷ｅＡ及びｅＢは、転送チャネル領域３の第１及び第２の転送チャネル領域３１及び３２における第１、第２及び第４の垂直転送電極１５ａ，１５ｂ，１５ｄ下に連続形成されたポテンシャル井戸に転送・蓄積される。
【００４８】
次のｔ１３時において、第２の垂直転送パルスφＶ２が低レベルになることから第２の垂直転送電極１５ｂ下にポテンシャル障壁が形成され、これにより、信号電荷ｅＣ及びｅＤは、転送チャネル領域３３の第２の転送チャネル領域３２及び転送チャネル領域３３の第１の転送チャネル領域３１における第１及び第４の垂直転送電極１５ａ及び１５ｄ下に連続形成されたポテンシャル井戸に転送・蓄積され、信号電荷ｅＡ及びｅＢは、転送チャネル領域３の第１及び第２の転送チャネル領域３１及び３２における第１及び第４の垂直転送電極１５ａ及び１５ｄ下に連続形成されたポテンシャル井戸に転送・蓄積される。
【００４９】
次にｔ１４において、第３の垂直転送パルスφＶ３が高レベルになることから、第３の垂直転送電極１５ｃ下にポテンシャル井戸が形成され、これにより、信号電荷ｅＣ及びｅＤは、転送チャネル領域３３の第２の転送チャネル領域３２及び転送チャネル領域３３の第１の転送チャネル領域３１における第１、第３及び第４の垂直転送電極１５ａ，１５ｃ，１５ｄ下に連続形成されたポテンシャル井戸に転送・蓄積され、信号電荷ｅＡ及びｅＢは、転送チャネル領域３の第１及び第２の転送チャネル領域３１及び３２における第１、第３及び第４の垂直転送電極１５ａ，１５ｃ，１５ｄ下に連続形成されたポテンシャル井戸に転送・蓄積される。
【００５０】
次にｔ１５時において、第１の垂直転送パルスφＶ１が低レベルとなることから、第１の垂直転送電極１５ａ下にポテンシャル障壁が形成され、これにより、信号電荷ｅＣ及びｅＤは、転送チャネル領域３３の第２の転送チャネル領域３２及び転送チャネル領域３３の第１の転送チャネル領域３１における第３及び第４の垂直転送電極１５ｃ及び１５ｄ下に連続形成されたポテンシャル井戸に転送・蓄積され、信号電荷ｅＡ及びｅＢは、転送チャネル領域３の第１及び第２の転送チャネル領域３１及び３２における第３及び第４の垂直転送電極１５ｃ及び１５ｄ下に連続形成されたポテンシャル井戸に転送・蓄積される。
【００５１】
次に、ｔ１６時において、第２の垂直転送パルスφＶ２が高レベルになることから、第２の垂直転送電極下にポテンシャル井戸が形成され、これにより、信号電荷ｅＣ及びｅＤは、転送チャネル領域３３の第２の転送チャネル領域３２及び転送チャネル領域３３の第１の転送チャネル領域３１における第２〜第４の垂直転送電極（１５ｂ〜１５ｄ）下に連続形成されたポテンシャル井戸に転送・蓄積され、信号電荷ｅＡ及びｅＢは、転送チャネル領域３の第１及び第２の転送チャネル領域３１及び３２における第２〜第４の垂直転送電極（１５ｂ〜１５ｄ）下に連続形成されたポテンシャル井戸に転送・蓄積される。
【００５２】
次に、ｔ１７時において、第４の垂直転送パルスφＶ４が低レベルになることから、第４の垂直転送電極１５ｄ下にポテンシャル障壁が形成され、これにより、信号電荷ｅＣ及びｅＤは、転送チャネル領域３３の第２の転送チャネル領域３２及び転送チャネル領域３３の第１の転送チャネル領域３１における第２及び第３の垂直転送電極１５ｂ及び１５ｃ下に連続形成されたポテンシャル井戸に転送・蓄積され、信号電荷ｅＡ及びｅＢは、転送チャネル領域３の第１及び第２の転送チャネル領域３１及び３２における第２及び第３の垂直転送電極１５ｂ及び１５ｃ下に連続形成されたポテンシャル井戸に転送・蓄積される。
【００５３】
次に、ｔ１８時において、第１の垂直転送パルスφＶ１が高レベルになることから、第１の垂直転送電極１５ａ下にポテンシャル井戸が形成され、これにより、信号電荷ｅＣ及びｅＤは、転送チャネル領域３３の第２の転送チャネル領域３２及び転送チャネル領域３３の第１の転送チャネル領域３１における第１〜第３の垂直転送電極（１５ａ〜１５ｃ）下に連続形成されたポテンシャル井戸に転送・蓄積され、信号電荷ｅＡ及びｅＢは、転送チャネル領域３の第１及び第２の転送チャネル領域３１及び３２における第１〜第３の垂直転送電極（１５ａ〜１５ｃ）下に連続形成されたポテンシャル井戸に転送・蓄積される。
【００５４】
次に、ｔ１９時において、第３の垂直転送パルスφＶ３が低レベルになることから、第３の垂直転送電極１５ｃ下にポテンシャル障壁が形成され、これにより、信号電荷ｅＣ及びｅＤは、転送チャネル領域３３の第２の転送チャネル領域３２及び転送チャネル領域３３の第１の転送チャネル領域３１における第１及び第２の垂直転送電極（１５ａ及び１５ｂ）下に連続形成されたポテンシャル井戸に転送・蓄積され、信号電荷ｅＡ及びｅＢは、転送チャネル領域３の第１及び第２の転送チャネル領域３１及び３２における第１及び第２の垂直転送電極（１５ａ及び１５ｂ）下に連続形成されたポテンシャル井戸に転送・蓄積される。
【００５５】
この段階で、前段における、転送チャネル領域３３の第２の転送チャネル領域３２及び転送チャネル領域３３の第１の転送チャネル領域３１における第１及び第２の垂直転送電極１５ａ及び１５ｂ下に連続形成されたポテンシャル井戸に蓄積された信号電荷ｅＣ及びｅＤは、それぞれ、次段における転送チャネル領域３３の第２の転送チャネル領域３２及び転送チャネル領域３３の第１の転送チャネル領域３１における第１及び第２の垂直転送電極１５ａ及び１５ｂ下に連続形成されたポテンシャル井戸に転送・蓄積される。
また、前段における、転送チャネル領域３の第１及び第２の転送チャネル領域３１及び３２における第１及び第２の垂直転送電極１５ａ及び１５ｂ下に連続形成されたポテンシャル井戸に蓄積された信号電荷ｅＡ及びｅＢは、それぞれ、次段における転送チャネル領域３の第１及び第２の転送チャネル領域３１及び３２における第１及び第２の垂直転送電極１５ａ及び１５ｂ下に連続形成されたポテンシャル井戸に転送・蓄積される。
【００５６】
このように、図４Ｂに示すタイミングで第１〜第４の垂直転送パルスφＶ１〜φＶ４が各垂直転送電極（１５ａ〜１５ｄ）に印加されることにより、それぞれ独立して各転送チャネル領域３（３１及び３２）に読み出された信号電荷ｅＡ，ｅＢ，ｅＣ，ｅＤは、独立したまま各転送チャネル領域３（３１及び３２）内を順次垂直方向に転送されることとなる。
【００５７】
即ち、受光部２Ａで蓄積されたＲに対応する信号電荷ｅＡは、転送チャネル領域３の第１の転送チャネル領域３１を順次垂直方向下に向かって転送され、受光部２Ｂで蓄積されたＧｒに対応する信号電荷ｅＢは、転送チャネル領域３の第２の転送チャネル領域３２を順次垂直方向下に向かって転送される。また、受光部２Ｃで蓄積されたＧｂに対応する信号電荷ｅＣは、転送チャネル領域３３の第２の転送チャネル領域３２を順次垂直方向下に向かって転送され、受光部２Ｄで蓄積されたＢに対応する信号電荷ｅＤは、転送チャネル領域３３の第１の転送チャネル領域３１を順次垂直方向下に向かって転送される。
【００５８】
そして、それぞれ独立して各転送チャネル領域３（３１，３２）を転送されてきた各色Ｒ，Ｇｒ，Ｇｂ，Ｂに対応する信号電荷ｅＡ，ｅＢ，ｅＣ，ｅＤは、各転送チャネル領域３に対応して、その一端にそれぞれ設けられた各水平転送レジスタ５Ａ，５Ｂ，５Ｃ，５Ｄに転送される。
即ち、転送チャネル領域３の第１の転送チャネル３１内を転送されてきた信号電荷ｅＡは水平転送レジスタ５Ａに、転送チャネル領域３の第２の転送チャネル領域３２を転送されてきた信号電荷ｅＢは水平転送レジスタ５Ｂにそれぞれ転送される。また、転送チャネル領域３３の第２の転送チャネル領域３２を転送されてきた信号電荷ｅＣは水平転送レジスタ５Ｃに、転送チャネル領域３３の第１の転送チャネル領域３１内を転送されてきた信号電荷ｅＤはそれぞれ水平転送レジスタ５Ｄに転送される。
【００５９】
そして、各水平転送レジスタ５Ａ，５Ｂ，５Ｃ，５Ｄへと転送された各色Ｒ，Ｇｒ，Ｇｂ，Ｂに対応する信号電荷ｅＡ，ｅＢ，ｅＣ，ｅＤは、例えば２層の多結晶シリコン層による水平転送電極（図示せず）への互いに位相の異なる２相の水平転送パルスφＨ１及びφＨ２の印加によって、それぞれ順次各水平転送レジスタ５Ａ，５Ｂ，５Ｃ，５Ｄ内を水平方向に転送され、この各水平転送レジスタ５Ａ，５Ｂ，５Ｃ，５Ｄの後段に設けられた各出力部６Ａ，６Ｂ，６Ｃ，６Ｄにおいて電気信号に変換されて、出力部６Ａ，６Ｂ，６Ｃ，６Ｄより撮像信号として取り出されることになる。
即ち、一度の水平転送動作で各色Ｒ，Ｇｒ，Ｇｂ，Ｂに対応する４つの信号電荷ｅＡ，ｅＢ，ｅＣ，ｅＤを同時に色分離して出力することが可能となる。
【００６０】
このようにして、本実施の形態に係るＣＣＤイメージセンサ１１１においては、イメージ部４上に形成された垂直２画素×水平２画素の配列規則のカラーフィルタ（図２参照）の各色Ｒ，Ｇｒ，Ｇｂ，Ｂに対応する受光部２Ａ，２Ｂ，２Ｃ，２Ｄで蓄積された信号電荷ｅＡ，ｅＢ，ｅＣ，ｅＤを、各垂直転送レジスタ３（３１及び３２）にそれぞれ独立して読み出すことができる。
【００６１】
また、独立して読み出された各色Ｒ，Ｇｒ，Ｇｂ，Ｂに対応する信号電荷ｅＡ，ｅＢ，ｅＣ，ｅＤを、それぞれ独立して各垂直転送レジスタ３（第１の垂直転送レジスタ３１及び第２の垂直転送レジスタ３２）を垂直転送させることができる。
【００６２】
また、１つの受光部２（本実施の形態では４つの受光部２Ａ、２Ｂ、２Ｃ及び２Ｄ）に対して、１つの水平転送レジスタ５（本実施の形態では５Ａ、５Ｂ、５Ｃ及び５Ｄ）が設けられているので、各受光部２で蓄積された各色Ｒ，Ｇｒ，Ｇｂ，Ｂに対応する信号電荷ｅＡ，ｅＢ，ｅＣ，ｅＤの出力が１単位で行われることとなり、各色Ｒ，Ｇｒ，Ｇｂ，Ｂに対応する信号電荷ｅＡ，ｅＢ，ｅＣ，ｅＤの色合わせを行う信号処理の際に出力アンプゲインレベルの差の分も調整できるため出力アンプゲインレベルの調整が容易となる。
また、各色Ｒ，Ｇｒ，Ｇｂ，Ｂ毎の出力アンプゲインレベルの調整を後段で任意に調整でき分光特性を任意に調整できる。
【００６３】
また、１度の水平転送時に各色Ｒ，Ｇｒ，Ｇｂ，Ｂに対応する信号電荷ｅＡ，ｅＢ，ｅＣ，ｅＤがそれぞれ独立に水平転送レジスタ５Ａ，５Ｂ，５Ｃ，５Ｄ内を水平転送されて、各水平転送レジスタ５Ａ，５Ｂ，５Ｃ，５Ｄの後段にそれぞれ設けられた出力部６Ａ，６Ｂ，６Ｃ，６Ｄより色分離して出力されることから、例えば、従来の全画素読み出し方式の固体撮像素子に比べて、同一駆動周波数で約２倍のフレームレートを得ることができる（尚この倍数は水平転送ブランキング期間によって変化する）。
【００６４】
また、各受光部２Ａ，２Ｂ，２Ｃ，２Ｄ毎に出力部６Ａ，６Ｂ，６Ｃ，６Ｄが異なるが、各出力部６間で出力アンプゲインレベルのずれが生じても、この出力アンプゲインのずれは各受光部２Ａ，２Ｂ，２Ｃ，２Ｄ毎に発生するため、線状欠陥にはならず点となり目立ちにくくすることができる。
【００６５】
また、本実施の形態に係るＣＣＤイメージセンサ１においては、通常のＩＴ方式のイメージセンサと同じ電荷読み出し動作のタイミングと垂直方向への電荷転送動作のタイミングを用いることができる。即ち、ＩＴ方式と共通のタイミングで電荷読み出し動作と垂直方向への電荷転送動作を行うことができる。
【００６６】
また、転送チャネル領域（垂直転送レジスタ）３が第１及び第２の転送チャネル領域３１及び３２とから構成され、これら各転送チャネル領域３１及び３２が対応する列の各受光部２の両側にそれぞれ分離して配されているため、信号電荷２を転送する際に使用される転送電極１５ａ，１５ｂ，１５ｃ，１５ｄを２層の電極材料にて構成することができ、受光部２の周辺構造の簡略化、高感度化及びスミア抑圧比の向上などの特性を得ることができる。
【００６７】
また、図３に示すように、第２のチャネルストップ領域９を、垂直方向に隣接するチャネルストップ領域９を介して連続的に形成するようにした場合は、信号電荷及び信号電荷、信号電荷及び信号電荷のクロストークを有効に防止することができ、しかも、チャネルストップ領域に固定電位を供給してポテンシャル障壁の高さを調整したい場合に、その供給端部をイメージ部４の外側に導出することができるため、固定電位を供給するための配線構造を簡略化することができる。
【００６８】
上述した実施の形態では（図３参照）、垂直方向に隣接する受光部２間（図３の例では受光部２Ａ及び受光部２Ｃ、受光部２Ｂ及び受光部２Ｄ）で、チャネルストップ領域（第２のチャネルストップ領域９）が連続して形成されてなる構成を示したが、図示せざるも、垂直方向に隣接する受光部２間の領域のみチャネルストップ領域を除去して、垂直方向に隣接する各受光部２の両側にそれぞれ互い違いに設けられるチャネルストップ領域９を非連続に形成するようにしてＣＣＤイメージセンサ１１１を構成することもできる。
【００６９】
ここで、図１に示したＣＣＤイメージセンサ１の構成においては、信号電荷の水平転送が全て同一の方向となるように構成されているので、各水平転送レジスタ５Ａ，５Ｂ，５Ｃ，５Ｄの後段に設けられた出力部６Ａ，６Ｂ，６Ｃ，６Ｄは全て一方の側（図３の例では左側）に設けられた構成となっている。即ち出力部６Ａ，６Ｂ，６Ｃ，６Ｄは一方の側に集中して設けられたものとなっている。
【００７０】
しかし、このように出力部６Ａ，６Ｂ，６Ｃ，６Ｄの全てが水平転送レジスタ５Ａ，５Ｂ，５Ｃ，５Ｄの一方の側に設けられた場合、上述のＣＣＤイメージセンサ１においては、イメージ部４の一端に４つの水平転送レジスタが設けられており、例えば水平転送時は信号電荷の転送が一方の側に集中するので、その部分が発熱源となってしまう虞がある。
【００７１】
従って、図８に示すように、４つの水平転送レジスタ５Ａ，５Ｂ，５Ｃ，５Ｄにおいて、少なくとも１組の隣接する水平転送レジスタ間（水平転送レジスタ５Ｃ及び５Ａ間、水平転送レジスタ５Ｂ及び５Ｄ間）での信号電荷の転送方向を互いに逆方向とすることで、出力部６（出力部６Ｃ及び６Ａ、出力部６Ｂ及び６Ｄ）が一方の側に集中しないようにしてＣＣＤイメージセンサ１１１を構成することもできる。
【００７２】
このように、隣接する水平転送レジスタ５での信号電荷２の転送方向を互いに逆方向とする構成は、図９に示すように、隣接する水平転送レジスタ５（水平転送レジスタ５Ｃ及び５Ａ）間に設けられた水平転送レジスタ間転送ゲート１１上で、第１の水平転送電極１６と第２の水平転送電極１７を交差して形成する。この際、水平転送レジスタ５Ｃ及び水平転送レジスタ５Ａの第１の水平転送電極１６と第２の水平転送電極１７との間に形成されるポテンシャル段差の並びは、水平転送レジスタ５Ｃ及び水平転送レジスタ５Ａとでは正反対となっている。
【００７３】
これにより、２相の水平転送パルスφＨ１及びφＨ２の印加によって、水平転送レジスタ５Ｃでは信号電荷ｅＣを一方の側（左側）へと、水平転送レジスタ５Ａでは信号電荷ｅＡを他方の側（右側）へと転送することができ、それぞれ異なる方向に設けられた出力部６Ｃ及び出力部６Ａから出力することができる。
【００７４】
従って、このように構成した場合、上述した作用効果に加えて、各出力部６Ａ，６Ｂ，６Ｃ，６Ｄが一方の側に集中することを防いで発熱を抑制することができる。
尚、図示の例では水平転送レジスタ５Ｃ及び５Ａ間に設けられた水平転送レジスタ間転送ゲート１１上の構成について示しているが、水平転送レジスタ５Ｂ及び５Ｄ間に設けられた水平転送レジスタ間転送ゲート１１上においても図９の構成と同じ構成とする。
【００７５】
また、図１０に示すように、例えば、イメージ部４の一端に設けられた４つの水平転送レジスタ５Ａ，５Ｂ，５Ｃ，５Ｄのうち、上方の２つの水平転送レジスタ５Ｃ及び５Ａでの信号電荷の転送方向と、下方の２つの水平転送レジスタ５Ｂ及び５Ｄでの信号電荷の転送方向を互いに逆方向とすることもできる。
【００７６】
この場合は、上方の２つの水平転送レジスタ５Ｃ及び５Ａと、下方２つの水平転送レジスタ５Ｂ及び５Ｄとの間に設けられた水平転送レジスタ間転送ゲート１１（即ち水平転送レジスタ５Ａと水平転送レジスタ５Ｂとの間に設けられた水平転送レジスタ間転送ゲート１１）上で、図９に示したように、第１の水平転送電極１６と第２の水平転送電極１７を交差するようにすればよい。
【００７７】
これにより、水平転送レジスタ５Ｃ及び５Ａでは信号電荷ｅＡ及びｅＣを一方の側（左側）へと、水平転送レジスタ５Ｂ及び５Ｄでは信号電荷ｅＢ及びｅＤを他方の側（右側）へと転送することができ、これら信号電荷（ｅＡ及びｅＣ、ｅＢ及びｅＤ）を、それぞれ異なる方向に設けられた出力部６Ｃ及び６Ａ、出力部６Ｂ及び６Ｄから出力することができる。
従って、上述した場合と同様に、各出力部６Ａ，６Ｂ，６Ｃ，６Ｄの一方の側への集中を防ぎ発熱を抑制することができる。
【００７８】
次に、本発明に係る固体撮像素子を２層４相ＣＣＤ構造のイメージセンサに適用した場合の他の実施の形態を示す。
尚、上述した図１〜図３と対応する部分には同一符号を付している。
本実施の形態に係るＣＣＤイメージセンサ１１２は図１１に示すように、上述した実施の形態の場合と同様に、画素となる複数の受光部２が多数マトリクス状に配列されてなるイメージ部４上に、各受光部２に対応して垂直２画素×水平２画素の配列規則で配された図２に示すカラーフィルタを有し、イメージ部４では、各列の受光部２に対して共通に垂直転送レジスタ３が形成されてなる。この垂直転送レジスタ３は第１及び第２の垂直転送レジスタ３１及び３２から形成され、第１及び第２の垂直転送レジスタ３１及び３２は対応する受光部２の両側に夫々分離して配されている。
【００７９】
イメージ部４は、図１２に示すように、上述した実施の形態の場合と同様に、信号電荷の転送路である例えばｎ型の不純物拡散による転送チャネル領域（垂直転送レジスタ）３が垂直方向に多数本形成されている（尚、説明をし易くするため、図示の例では転送チャネル領域を１列おきに３、３３・・・と示している）。これら各転送チャネル領域３（３、３３）は、その中央部分に垂直方向に延びる例えばｐ型の不純物拡散による第１のチャネルストップ領域８が形成されて、左右に分離された形となっている。本実施の形態においても、左側の転送チャネル領域を第１の転送領域（第１の垂直転送レジスタ）３１と示し、右側の転送チャネル領域を第２の転送チャネル領域（第２の垂直転送レジスタ）３２と示す。総括して示す場合は転送チャネル領域３と示す。
本実施の形態においても、各色Ｒ，Ｇｒ，Ｇｂ，Ｂに対応する４つの受光部２Ａ，２Ｂ，２Ｃ，２Ｄのうち、上側の２つの受光部２Ａ及び２Ｂを奇数行とし、下側の受光部２Ｃ及び２Ｄを偶数行とする。
【００８０】
このイメージ部４では、上述した実施の形態と同様に、奇数行に関する受光部２Ａ及び２Ｂのうち、受光部２Ａと図面上左側に隣接する転送チャネル領域３３の第２の転送チャネル領域３２との間には第２のチャネルストップ領域９が形成され、受光部２Ｂと図面上右側に隣接する転送チャネル領域３３の第１の転送チャネル領域３１との間には第２のチャネルストップ領域９が形成されている。
また、偶数行に関する受光部２Ｃ及び２Ｄのうち、受光部２Ｃと図面上右側に隣接する転送チャネル領域３の第１の転送チャネル領域３１との間には第２のチャネルストップ領域９が形成され、受光部２Ｄと図面上左側に隣接する転送チャネル領域３の第２の転送チャネル領域３２との間には第２のチャネルストップ領域９が形成されている。
そして、この第２のチャネルストップ領域９は、垂直方向に隣接する各受光部間（図１２では受光部２Ａ及び２Ｃ、受光部２Ｂ及び２Ｄ）においても連続して形成されている。
【００８１】
また、上述した実施の形態の場合と同様に、奇数行に関する受光部２Ａ及び２Ｂのうち、受光部２Ａと転送チャネル領域３の第１の転送チャネル領域３１との間の領域、受光部２Ｂと転送チャネル領域３の第２の転送チャネル領域３２との間の領域には読み出しゲート部１０Ａ及び１０Ｂが形成されている。
また、偶数行に関する受光部２Ｃ及び２Ｄのうち、受光部２Ｃと転送チャネル領域３３の第２の転送チャネル領域３２との間の領域、受光部２Ｄと転送チャネル領域３３の第１の転送チャネル領域３１との間の領域には読み出しゲート部１０Ｃ及び１０Ｄが形成されている。
【００８２】
従って、上述した実施の形態と同様に、左右隣り合う受光部２において、読み出しゲート部１０が向かい合わせに形成され、且つ、上下隣り合う受光部（図１２の例では受光部２Ａ及び２Ｃ、受光部２Ｂ及び２Ｄ）において、読み出しゲート部の向きが反転して形成された構成となる。これにより、左右隣り合う受光部２に蓄積された信号電荷を同一の垂直転送レジスタ３に読み出すことが可能となる。
【００８３】
このように構成することで、本実施の形態においても、垂直２画素×水平２画素の配列規則のカラーフィルタに対応する、各受光部２Ａ，２Ｂ，２Ｃ，２Ｄにて蓄積された各色Ｒ，Ｇｒ，Ｇｂ，Ｂに対応する信号電荷ｅＡ，ｅＢ，ｅＣ，ｅＤを、各読み出しゲート部１０１０Ａ，１０Ｂ，１０Ｃ，１０Ｄを通じてそれぞれ独立に色分離して読み出すことができる。
【００８４】
そして、本実施の形態においては、垂直転送レジスタ３の一端（上側）に、上述した配列規則の４画素に対応する４つの受光部２Ａ，２Ｂ，２Ｃ，２Ｄのうちの奇数行の２つの受光部２Ａ及び２Ｂで蓄積された信号電荷ｅＡ及びｅＢをそれぞれ独立して転送する２つの水平転送レジスタ５Ａ及び５Ｂを設け、垂直転送レジスタ３３の他端（下側）には、上述した配列規則に対応する４つの受光部のうちの偶数行の２つの受光部２Ｃ及び２Ｄで蓄積された信号電荷ｅＣ及びｅＤをそれぞれ独立して転送する２つの水平転送レジスタ５Ｃ及び５Ｄを設け、各水平転送レジスタ５Ａ，５Ｂ，５Ｃ，５Ｄの後段には信号電荷ｅＡ，ｅＢ，ｅＣ，ｅＤを出力する出力部６Ａ，６Ｂ，６Ｃ，６Ｄをそれぞれ設けて構成する。
即ち、本実施の形態では、上述した実施の形態のように信号電荷をそれぞれ一方の方向（下方）に転送するのではなく、信号電荷を上方及び下方にそれぞれ転送するものである。
【００８５】
このように、イメージ部４を挟んだ一端及び他端に、水平転送レジスタ５Ａ，５Ｂ，５Ｃ，５Ｄをそれぞれ２つずつ設けたときは、各列の受光部２に対して共通に設けられた垂直転送レジスタ（転送チャネル領域）３の１列おきに信号電荷の転送方向を逆方向とする。
【００８６】
即ち、上述したように、各転送チャネル領域３上、つまり、第１及び第２の転送チャネル領域３１及び３２に対しては共通に例えば２層の多結晶シリコン層による４枚の垂直転送電極（第１〜第４の垂直転送電極１５ａ〜１５ｄ）を１組としてその組が多数垂直方向に順次配列されているが、本実施の形態においては、垂直転送レジスタ（転送チャネル領域）３の一列おきに各垂直転送電極１５ａ〜１５ｄの向きを上下反転して構成する。
【００８７】
具体的に説明すると、第１の垂直転送電極１５ａは、信号電荷の転送方向が上方とされた垂直転送レジスタ（転送チャネル領域）３上においては、その電極部（垂直転送レジスタに沿った部分）が図中下側に延びて形成され、信号電荷の転送方向が下方とされた垂直転送レジスタ（転送チャネル領域）３３上においては、その電極部（垂直転送レジスタに沿った部分）が図中上側に延びて形成されている。
【００８８】
また、第２の垂直転送電極１５ｂは、信号電荷の転送方向が上方とされた垂直転送電極（転送チャネル領域）３上においては、その電極部（垂直転送レジスタに沿った部分）が図中上側に延びて形成され、信号電荷の転送方向が下方とされた垂直転送レジスタ（転送チャネル領域）３３上においては、その電極部（垂直転送レジスタに沿った部分）が図中下側に延びて形成されている。
【００８９】
また、第３の垂直転送電極１５ｃは、信号電荷の転送方向が上方とされた垂直転送電極（転送チャネル領域）３上においては、その電極部（垂直転送レジスタに沿った部分）が図中下側に延びて形成され、信号電荷の転送方向が下方とされた垂直転送レジスタ（転送チャネル領域）３３上においては、その電極部（垂直転送レジスタに沿った部分）が図中上側に延びて形成されている。
【００９０】
また、第４の垂直転送電極１５ｄは、信号電荷の転送方向が上方とされた垂直転送電極（転送チャネル領域）３上においては、その電極部（垂直転送レジスタに沿った部分）が図中上側に延びて形成され、信号電荷の転送方向が下方とされた垂直転送レジスタ（転送チャネル領域）３３上においては、その電極部（垂直転送チャネル領域に沿った部分）が図中下側に延びて形成されている。
本実施の形態では、このように各垂直転送電極（１５ａ〜１５ｄ）を構成することにより、４つの受光部２Ａ，２Ｂ，２Ｃ，２Ｄにおける各読み出しゲート部１０Ａ，１０Ｂ，１０Ｃ，１０Ｄは、第１の垂直転送電極１５ａ下に配されることとなる。
【００９１】
次に、このような本実施の形態に係るＣＣＤイメージセンサの実際の動作を図１３〜図１６を用いて説明する。
先ず、受光部から信号電荷を読み出す電荷読み出し動作を図１３Ａのタイミングチャート及び図１４の動作概念図を参照しながら説明する。
尚、図１４Ａは偶数行に関する受光部２Ｃ（２Ｄ）の電荷読み出し動作 を、図１４Ｂは奇数行に関する受光部２Ａ（２Ｂ）の電荷読み出し動作を示している。
先ず、図１３Ａにおける読み出し直前のｔ０時において、第１の垂直転送電極１５ａに印加される第１の垂直転送パルスφＶ１が高レベル（例えば０Ｖ）、第２、第３及び第４の垂直転送電極１５ｂ、１５ｃ及び１５ｄに印加される第２、第３及び第４の垂直転送パルスがそれぞれ低レベル（例えば９Ｖ）であることから、転送チャネル領域３の第１及び第２の転送チャネル領域３及び３３のうち、第１の垂直転送電極１５ａ下の領域にポテンシャル井戸が形成される。
このとき、第１の垂直転送電極１５ａ下のポテンシャル段差は受光部２２Ａ，２Ｂ，２Ｃ，２Ｄのポテンシャル段差よりも浅い位置にあるため、受光部２２Ａ，２Ｂ，２Ｃ，２Ｄの信号電荷ｅＡ，ｅＢ，ｅＣ，ｅＤの流れ込みは行われない。
【００９２】
次のｔ１時において、第１の垂直転送パルスφＶ１が読み出しレベル（例えば１５Ｖ）となるため、第１の垂直転送電極１５ａ下のポテンシャル井戸が受光部２Ａ，２Ｂ，２Ｃ，２Ｄのポテンシャル段差よりも深くなる。これにより、奇数行に関する受光部２Ａ及び２Ｂに蓄積されていた信号電荷ｅＡ及びｅＢは、上方に配された水平転送レジスタ５Ａ及び５Ｂにそれぞれ通じる転送チャネル領域３、特に、信号電荷ｅＡは第１の転送チャネル領域３１における第１の垂直転送電極１５ａ下に形成されたポテンシャル井戸に転送・蓄積され、信号電荷ｅＢは第２の転送チャネル領域３２における第１の垂直転送電極１５ａ下に形成されたポテンシャル井戸に転送・蓄積される。
また、偶数行に関する受光部２Ｃ及び２Ｄに蓄積されていた信号電荷ｅＣ及びｅＤは、下方に配された水平転送レジスタ５Ｃ及び５Ｄにそれぞれ通じる転送チャネル領域３、特に、信号電荷ｅＣは第２の転送チャネル領域３２における第１の垂直転送電極１５ａ下に形成されたポテンシャル井戸に転送・蓄積され、信号電荷ｅＤは第１の転送チャネル領域３１における第１の垂直転送電極１５ａ下に形成されたポテンシャル井戸に転送・蓄積される。
【００９３】
次に、ｔ２時において、第１の垂直転送パルスφＶ１が元の高レベル（０Ｖ）に復帰するため、転送チャネル領域３の第１及び第２の転送チャネル領域３１及び３２における第１の垂直転送電極１５ａ下に蓄積されていた信号電荷ｅＡ及びｅＢは、依然この第１の垂直転送電極１５ａ下に留まることとなり、転送チャネル領域３３の第２及び第１の転送チャネル領域３２及び３１における第１の垂直転送電極１５ａ下に蓄積された信号電荷ｅＣ及びｅＤは、依然この第１の垂直転送電極１５ａ下に留まることとなる。
【００９４】
このように、本実施の形態においては、第１の垂直転送電極１５ａ下に、４つの受光部２Ａ，２Ｂ，２Ｃ，２Ｄの読み出しゲート部１０Ａ，１０Ｂ，１０Ｃ，１０Ｄが配された構成となっているので、この第１の垂直転送電極１５ａへの１回の垂直転送パルスφＶ１の印加により、各受光部２Ａ，２Ｂ，２Ｃ，２Ｄに蓄積された各色Ｒ，Ｇｒ，Ｇｂ，Ｂに対応する信号電荷ｅＡ，ｅＢ，ｅＣ，ｅＤの読み出しを行うことができる。
【００９５】
次に本実施の形態に係るイメージセンサ１１２における垂直方向の転送動作（垂直転送レジスタに沿った転送動作）について、図１３Ｂのタイミングチャート並びに図１５及び図１６の動作概念図を参照しながら説明する。
尚、図１５には偶数行に関する受光部２Ｃ（２Ｄ）で蓄積された信号電荷の垂直転送動作を示し、図１６には奇数行に関する受光部２Ａ（２Ｂ）で蓄積された信号電荷の垂直転送動作を示す。
先ず、図１４で示す電荷読み出し動作の終了後において、信号電荷ｅＡ及びｅＢが転送方向が上方とされた転送チャネル領域３の第１及び第２の転送チャネル領域３１及び３２における第１の垂直転送電極１５ａ下に形成されたポテンシャル井戸に転送・蓄積され、信号電荷ｅＣ及びｅＤが転送方向が下方とされた転送チャネル領域３３の第２及び第１の転送チャネル領域３２及び３１における第１の垂直転送電極１５ａ下に形成されたポテンシャル井戸に転送・蓄積された状態（ｔ１１時）から説明する。
【００９６】
次のｔ１２時において、第４の垂直転送パルスφＶ４が高レベルになることから、第４の垂直転送電極１５ｄ下にポテンシャル井戸が形成され、これにより、信号電荷ｅＡ及びｅＢは、転送チャネル領域３の第１及び第２の転送チャネル領域３１及び３２における第１及び第４の垂直転送電極１５ａ及び１５ｄ下に連続形成されたポテンシャル井戸に転送・蓄積され、信号電荷ｅＣ及びｅＤは、転送チャネル領域３３の第２及び第１の転送チャネル領域３２及び３１下に連続形成されたポテンシャル井戸に転送・蓄積される。
【００９７】
次のｔ１３時において、第１の垂直転送パルスφＶ１が低レベルとなることから、第１の垂直転送電極１５ａ下にポテンシャル障壁が形成され、これにより、信号電荷ｅＡ及びｅＢは、転送チャネル領域３の第１及び第２の転送チャネル領域３１及び３２における第４の垂直転送電極１５ｄ下に形成されたポテンシャル井戸に転送・蓄積され、信号電荷ｅＣ及びｅＤは、転送チャネル領域３３の第２及び第１の転送チャネル領域３２及び３１における第４の垂直転送電極１５ｄ下に形成されたポテンシャル井戸に転送・蓄積される。
【００９８】
次のｔ１４時において、第３の垂直転送パルスφＶ３が高レベルとなることから、第３の垂直転送電極１５ｃ下にポテンシャル井戸が形成され、これにより、信号電荷ｅＡ及びｅＢは、転送チャネル領域３の第１及び第２の転送チャネル領域３１及び３２における第３及び第４の垂直転送電極１５ｃ及び１５ｄ下に連続形成されたポテンシャル井戸に転送・蓄積され、信号電荷ｅＣ及びｅＤは、転送チャネル領域３３の第２及び第１の転送チャネル領域３２及び３１における第３及び第４の垂直転送電極１５ｃ及び１５ｄ下に連続形成されたポテンシャル井戸に転送・蓄積される。
【００９９】
次のｔ１５時において、第４の垂直転送パルスφＶ４が低レベルとなることから、第４の垂直転送電極下にポテンシャル障壁が形成され、これにより、信号電荷ｅＡ及びｅＢは、転送チャネル領域３の第１及び第２の転送チャネル領域３１及び３２における第３の垂直転送電極１５ｃ下に形成されたポテンシャル井戸に転送・蓄積され、信号電荷ｅＣ及びｅＤは、転送チャネル領域３３の第２及び第１の転送チャネル領域３２及び３１における第３の垂直転送電極１５ｃ下に形成されたポテンシャル井戸に転送・蓄積される。
【０１００】
次のｔ１６時において、第２の垂直転送パルスが高レベルとなることから、第２の垂直転送電極１５ｂ下にポテンシャル井戸が形成され、これにより、信号電荷ｅＡ及びｅＢは、転送チャネル領域３の第１及び第２の転送チャネル領域３１及び３２における第２及び第３の垂直転送電極１５ｂ及び１５ｃ下に連続形成されたポテンシャル井戸に転送・蓄積され、信号電荷ｅＣ及びｅＤは、転送チャネル領域３３の第２及び第１の転送チャネル領域３２及び３１における第２及び第３の垂直転送電極１５ｂ及び１５ｃ下に連続形成されたポテンシャル井戸に転送・蓄積される。
【０１０１】
次のｔ１７時において、第３の垂直転送パルスφＶ３が低レベルになることから、第３の垂直転送電極１５ｃ下にポテンシャル障壁が形成され、これにより、信号電荷ｅＡ及びｅＢは、転送チャネル領域３の第１及び第２の転送チャネル領域３１及び３２における第２の垂直転送電極１５ｂ下に形成されたポテンシャル井戸に転送・蓄積され、信号電荷ｅＣ及びｅＤは、転送チャネル領域３３の第２及び第１の転送チャネル領域３２及び３１における第２の垂直転送電極１５ｂ下に形成されたポテンシャル井戸に転送・蓄積される。
【０１０２】
次のｔ１８時において、第１の垂直転送パルスφＶ１が高レベルになることから、第１の垂直転送電極１５ａ下にはポテンシャル井戸が形成され、これにより、信号電荷ｅＡ及びｅＢは、転送チャネル領域３の第１及び第２の転送チャネル領域３１及び３２における第１及び第２の垂直転送電極１５ａ及び１５ｂ下に連続形成されたポテンシャル井戸に転送・蓄積され、信号電荷ｅＣ及びｅＤは、転送チャネル領域３３の第２及び第１の転送チャネル領域３２及び３１における第１及び第２の垂直転送電極１５ａ及び１５ｂ下に連続形成されたポテンシャル井戸に転送・蓄積される。
【０１０３】
次のｔ１９時において、第２の垂直転送パルスφＶ２が低レベルになることから、第２の垂直転送電極１５ｂ下にはポテンシャル障壁が形成され、これにより、信号電荷ｅＡ及びｅＢは、転送チャネル領域３の第１及び第２の転送チャネル領域３１及び３２における第１の垂直転送電極１５ａ下に形成されたポテンシャル井戸に転送・蓄積され、信号電荷ｅＣ及びｅＤは、転送チャネル領域３３の第２及び第１の転送チャネル領域３２及び３１における第１の垂直転送電極１５ａ下に形成されたポテンシャル井戸に転送・蓄積される。
【０１０４】
この段階で、前段における、転送チャネル領域３の第１及び第２の転送領域３１及び３２における第１の垂直転送電極１５ａ下に形成されたポテンシャル井戸に蓄積された信号電荷ｅＡ及びｅＢは、それぞれ、次段における転送チャネル領域３の第１及び第２の転送チャネル領域３１及び３２における第１の垂直転送電極１５ａ下に形成されたポテンシャル井戸に転送・蓄積される。
また、前段における、転送チャネル領域３３の第２及び第１の転送チャネル領域３２及び３１における第１の垂直転送電極１５ａ下に形成されたポテンシャル井戸に蓄積された信号電荷ｅＣ及びｅＤは、それぞれ、次段における転送チャネル領域３３の第２及び第１の転送チャネル領域３２及び３１における第１の垂直転送電極１５ａ下に形成されたポテンシャル井戸に転送・蓄積される。
【０１０５】
このように、図１３Ａに示すタイミングで第１〜第４の垂直転送パルスφＶ１〜φＶ４が各垂直転送電極１５（１５ａ〜１５ｄ）に印加されることにより、それぞれ独立に色分離されて各転送チャネル領域３（３１，３２）に読み出された信号電荷ｅＡ，ｅＢ，ｅＣ，ｅＤは、その奇数行に関する信号電荷ｅＡ及びｅＢが、それぞれ独立したままチャネル領域３の第１及び第２の転送チャネル領域３１及び３２内をそれぞれ上方に向かって転送され、偶数行に関する信号電荷ｅＣ及びｅＤが、それぞれ独立したままチャネル領域３３の第２及び第１の転送チャネル領域３２及び３１内をそれぞれ下方に向かって転送されることとなる。
【０１０６】
即ち、受光部２Ａ及び２Ｂで蓄積されたＲ及びＧｒの各色に対応する信号電荷ｅＡ及びｅＢは、転送チャネル領域３の第１及び第２の転送チャネル領域３１及び３２内をそれぞれ順次上方に向かって転送され、受光部２Ｃ及び２Ｄで蓄積されたＧｂ及びＢの各色に対応する信号電荷ｅＣ及びｅＤは、転送チャネル領域３３の第２及び第１の転送チャネル領域３２及び３１内をそれぞれ順次垂直方下方に向かって転送される。
【０１０７】
そして、それぞれ独立して各転送チャネル領域３（３１，３２）を転送されてきた各色Ｒ，Ｇｒ，Ｇｂ，Ｂに対応する信号電荷ｅＡ，ｅＢ，ｅＣ，ｅＤは、各転送チャネル領域３（３１，３２）の一端にそれぞれ配された各水平転送レジスタ５Ａ，５Ｂ，５Ｃ，５Ｄに転送される。
即ち、転送チャネル領域３の第１の転送チャネル３１内を転送されてきた信号電荷ｅＡは水平転送レジスタ５Ａに、転送チャネル領域３の第２の転送チャネル領域３２を転送されてきた信号電荷ｅＢは水平転送レジスタ５Ｂに転送される。また、転送チャネル領域３３の第２の転送チャネル領域３２を転送されてきた信号電荷ｅＣは水平転送レジスタ５Ｃに、転送チャネル領域３３の第１の転送チャネル領域３１内を転送されてきた信号電荷ｅＤは水平転送レジスタ５Ｄに転送される。
【０１０８】
そして、各水平転送レジスタ５Ａ，５Ｂ，５Ｃ，５Ｄへと転送された各色Ｒ，Ｇｒ，Ｇｂ，Ｂに対応する信号電荷ｅＡ，ｅＢ，ｅＣ，ｅＤは、例えば２層の多結晶シリコン層による水平転送電極（図示せず）への互いに位相の異なる２相の水平転送パルスφＨ１及びφＨ２の印加によって、それぞれ順次各水平転送レジスタ５Ａ，５Ｂ，５Ｃ，５Ｄを水平方向に転送され、この各水平転送レジスタ５Ａ，５Ｂ，５Ｃ，５Ｄの後段に設けられた各出力部６Ａ，６Ｂ，６Ｃ，６Ｄにおいて電気信号に変換されて、出力部６Ａ，６Ｂ，６Ｃ，６Ｄより撮像信号として取り出されることになる。
即ち、本実施の形態においても、一度の水平転送動作で各色Ｒ，Ｇｒ，Ｇｂ，Ｂに対応する４つの信号電荷２ｅＡ，ｅＢ，ｅＣ，ｅＤを同時に色分離して出力することができる。
【０１０９】
ここで、本実施の形態においては、垂直転送レジスタ３の１列おきに信号電荷ｅＡ，ｅＢ，ｅＣ，ｅＤの転送方向が逆方向とされているので（垂直転送レジスタ３では転送方向が上方向、垂直転送レジスタ３３が転送方向が下方向）、水平転送レジスタ５Ａ，５Ｂ，５Ｃ，５Ｄにおいては、垂直転送レジスタ３から信号電荷ｅＡ，ｅＢ，ｅＣ，ｅＤが転送される部分（パケット）と転送されない部分（パケット）が交互に形成される構成となる。
【０１１０】
即ち、各水平転送レジスタ５Ａ，５Ｂ，５Ｃ，５Ｄでは、１パケットおきにしか各信号電荷ｅＡ，ｅＢ，ｅＣ，ｅＤが転送されていない構成となっているので、各垂直転送レジスタ３から各水平転送レジスタ５へと水平１ライン分の信号電荷（例えば奇数行の信号電荷ｅＡ及びｅＢ）を転送した後に、各水平転送レジスタ５を１ビット分だけ水平転送することにより、垂直転送レジスタ３下には信号電荷が転送されてない所謂空パケットが配されることとなり、この空パケットに、更に次の水平１ライン分の信号電荷（例えば偶数行の信号電荷ｅＣ及びｅＤ）を垂直転送レジスタ３より転送することができる。
【０１１１】
従って、各垂直転送レジスタ３より各水平転送レジスタ５内へと、水平２ライン分の信号電荷（ｅＡ及びｅＢ、ｅＣ及びｅＤ）を転送することができ、１回の水平転送により合計４ライン分の信号電荷を出力することができる。これにより、従来の前画素読み出し方式の固体撮像素子に比べて、同一駆動周波数で約４倍のフレームレートを得ることができる（尚この倍数は水平ブランキング期間によって変化する）。
【０１１２】
このようにして、本実施の形態に係るＣＣＤイメージセンサ１１２においても、上述した実施の形態の場合と同様に、イメージ部４上に形成された垂直２画素×水平２画素の配列規則のカラーフィルタ（図２参照）の各色Ｒ，Ｇｒ，Ｇｂ，Ｂに対応する受光部２Ａ，２Ｂ，２Ｃ，２Ｄで蓄積された信号電荷ｅＡ，ｅＢ，ｅＣ，ｅＤを、各垂直転送レジスタ３（第１の垂直転送レジスタ３１及び第２の垂直転送レジスタ３２）にそれぞれ独立して読み出すことができる。
【０１１３】
また、独立して読み出された各色Ｒ，Ｇｒ，Ｇｂ，Ｂに対応する信号電荷ｅＡ，ｅＢ，ｅＣ，ｅＤを、それぞれ独立して各垂直転送レジスタ３（第１の垂直転送レジスタ３１及び第２の垂直転送レジスタ３２）内を垂直転送させることができる。
【０１１４】
また、１つの受光部２（本実施の形態では４つの受光部２Ａ、２Ｂ、２Ｃ及び２Ｄ）に対して、１つの水平転送レジスタ５（本実施の形態では５Ａ、５Ｂ、５Ｃ及び５Ｄ）が設けられているので、各受光部２で蓄積された信号電荷ｅＡ，ｅＢ，ｅＣ，ｅＤの出力が１単位で行われることとなり、各色Ｒ，Ｇｒ，Ｇｂ，Ｂに対応する信号電荷ｅＡ，ｅＢ，ｅＣ，ｅＤの信号処理の際に出力アンプゲインレベルの調整をすることが可能となり、出力アンプゲインレベルの調整が容易となる。
また、各色Ｒ，Ｇｒ，Ｇｂ，Ｂ毎の出力アンプゲインレベルの調整を任意に設定することが可能となるので、例えば後段に設けられた信号処理回路等により出力アンプゲインレベルの調整を任意に設定することが可能となる。
【０１１５】
また、水平転送レジスタ５は、垂直転送レジスタ３から信号電荷ｅＡ，ｅＢ，ｅＣ，ｅＤが転送されるパケットと転送されないパケットが交互に形成された構成であるので、上述したように、１回の水平転送により合計４ライン分の信号電荷を出力することができる。これにより、従来の前画素読み出し方式の固体撮像素子に比べて、同一駆動周波数で約４倍のフレームレートを得ることができる（尚この倍数は水平ブランキング期間によって変化する）。
【０１１６】
また、各受光部２Ａ，２Ｂ，２Ｃ，２Ｄ毎に出力部６Ａ，６Ｂ，６Ｃ，６Ｄが異なるが、各出力部６間で出力アンプゲインレベルのずれが生じても、この出力アンプゲインのずれは各受光部２Ａ，２Ｂ，２Ｃ，２Ｄ毎に発生するため、線状欠陥にはならず点となり目立ちにくくすることができる。
【０１１７】
また、本実施の形態に係るＣＣＤイメージセンサ１においても、通常のＩＴ方式のイメージセンサと同じ電荷読み出し動作のタイミングと垂直方向への電荷転送動作のタイミングを用いることができる。即ち、ＩＴ方式と共通のタイミングで電荷読み出し動作と垂直方向への電荷転送動作を行うことができる。
【０１１８】
また、転送チャネル領域（垂直転送レジスタ）３が第１及び第２の転送チャネル領域３１及び３２とから構成され、これら各転送チャネル領域３１及び３２が対応する列の各受光部２の両側にそれぞれ分離して配されているため、信号電荷２を転送する際に使用される転送電極（１５ａ、１５ｂ、１５ｃ及び１５ｄ）を２層の電極材料にて構成することができ、受光部２の周辺構造の簡略化、高感度化及びスミア抑圧比の向上などの特性を得ることができる。
【０１１９】
また、第２のチャネルストップ領域９を、図１２に示したように、垂直方向に隣接するチャネルストップ領域を介して連続的に形成するようにした場合は、信号電荷及び信号電荷、信号電荷及び信号電荷のクロストークを有効に防止することができ、しかも、チャネルストップ領域に固定電位を供給してポテンシャル障壁の高さを調整したい場合に、その供給端部をイメージ部４の外側に導出することができるため、固定電位を供給するための配線構造を簡略化することができる。
【０１２０】
ここで、本実施の形態においては、イメージ部４を挟んで上側及び下側に水平転送レジスタ５を２本ずつ設けているので、上述した実施の形態のイメージ部４の下側に水平転送レジスタ５を４本設けた場合（図１参照）と比較して、出力部６が集中することによる発熱は抑制されるが、上述したと同様に、例えば隣接する水平転送レジスタ間（図１２の例では水平転送レジスタ５Ａ及び５Ｂ、水平転送レジスタ５Ｃ及び５Ｄ）での信号電荷ｅＡ，ｅＢ，ｅＣ，ｅＤの転送方向を互いに逆方向として、ＣＣＤイメージセンサ１１２を構成することもできる（図１７参照）。
尚、その他の部分の構成は図１１と同様であるので同一符号を付して重複説明を省略している。
【０１２１】
このような構成は、水平転送レジスタ５Ａ及び５Ｂ、水平転送レジスタ５Ｃ及び５Ｄの間に設けられた水平転送レジスタ間転送ゲート１１上において、第１及び第２の水平転送電極１６及び１７を図９に示した構成とすることにより達成できる。
【０１２２】
これにより、水平転送レジスタ５Ｂ及び５Ｃでは信号電荷ｅＢ及びｅＣを一方の側（図１７では左側）へと、水平転送レジスタ５Ａ及び５Ｄでは信号電荷ｅＡ及びｅＤを他方の側（図１７では右側）へと転送することができ、信号電荷ｅＡ，ｅＢ，ｅＣ，ｅＤは、それぞれ異なる方向に設けられた出力部（６Ｂ及び６Ｃ、出力部６Ａ及び６Ｄ）から出力することができる。
従って、本実施の形態においても、上述した作用効果に加えて、各出力部６Ａ，６Ｂ，６Ｃ，６Ｄの一方の側への集中を防いで発熱を抑制できる。
【０１２３】
上述した実施の形態では、水平転送レジスタ５として、４本の水平転送レジスタ５Ａ，５Ｂ，５Ｃ，５Ｄを設けて説明したが、フレームレートを上げるために、水平転送レジスタ５を増やして例えば８本の水平転送レジスタを設けることもできる。
【０１２４】
なお、本発明は、上述の実施の形態に限定されるものではなく、本発明の要旨を逸脱しない範囲でその他様々な構成が取り得る。
【符号の説明】
【０１２５】
１１１、１１２・・・ＣＣＤイメージセンサ、２，２Ａ，２Ｂ，２Ｃ，２Ｄ・・・受光部、３，３３・・・垂直転送レジスタ（転送チャネル領域）、３・・・第１の転送チャネル領域、３２・・・第２の転送チャネル領域、４・・・イメージ部、５Ａ，５Ｂ，５Ｃ，５Ｄ・・・水平転送レジスタ、６Ａ，６Ｂ，６Ｃ，６Ｄ・・・出力部、７・・・カラーフィルタ、１１・・・水平転送レジスタ間転送ゲート、ｅＡ，ｅＢ，ｅＣ，ｅＤ・・・信号電荷、１６・・・第１の水平転送電極、１７・・・第２の水平転送電極
【図１】
2010010724.tif 000003
【図２】
2010010724.tif 000004
【図３】
2010010724.tif 000005
【図４】
2010010724.tif 000006
【図５】
2010010724.tif 000007
【図６】
2010010724.tif 000008
【図７】
2010010724.tif 000009
【図８】
2010010724.tif 000010
【図９】
2010010724.tif 000011
【図１０】
2010010724.tif 000012
【図１１】
2010010724.tif 000013
【図１２】
2010010724.tif 000014
【図１３】
2010010724.tif 000015
【図１４】
2010010724.tif 000016
【図１５】
2010010724.tif 000017
【図１６】
2010010724.tif 000018
【図１７】
2010010724.tif 000019
【図１８】
2010010724.tif 000020
【図１９】
2010010724.tif 000021
【図２０】
2010010724.tif 000022
【図２１】
2010010724.tif 000023